(57)【特許請求の範囲】
【請求項１】
接床基台と、該接床基台に回動自在に立設された中空状の支持支柱と、該支持支柱の上部に螺合されたレベル調整用ナットを介して高さ調整自在に構成された大引き受台座とからなる床束であって、
前記接床基台の中央部には、逆凹状部が形成されると共に、前記逆凹状部の中心部にはボルト挿通孔が穿設されており、
前記支持支柱は、前記ボルト挿通孔の周縁部を囲繞するワッシャー状の弾性体を介して前記接床基台に接続されると共に、前記ボルト挿通孔に挿通した接合ボルトが前記支持支柱の下端部の内壁面に螺設された雌ネジ部に螺合することによって固定されており、
前記弾性体は、前記ボルト挿通孔に挿通される部分と、前記支持支柱と前記ボルト挿通孔の周縁部との間に介設される部分とから構成されていることを特徴とする床束。
【請求項２】
前記接合ボルトに、支持支柱内と接床基台下面とを連通する連通路が設けられていることを特徴とする請求項１に記載の床束。
【請求項３】
前記接床基台には、前記逆凹状部から放射状に延びる接着剤充填用脚部と、該接着剤充填用脚部の先端に設けられる接着剤注入孔とが形成されていることを特徴とする請求項１又は２に記載の床束。
【発明の詳細な説明】
【０００１】
【産業上の利用分野】
本発明は、建築物の床を構築する際に用いられる床束に関し、不陸のある床面でもガタツキ無く施工できる床束に関する。
【０００２】
【従来の技術】
大引を受ける床束として図１２に示すものが知られている。この床束(B)は、接床基台(b1)に固定された上向きボルト(b2)と、大引き受台座(b4)に固定された下向きボルト(b3)と、これらのボルト(b2)(b3)とそれぞれ螺合する中央パイプ(b5)とから構成されている。この床束(B)は、鋼製のため防腐、防蟻の面で優れており、中央パイプ(b5)を調節することで大引き受台座(b4)の高さ調節が可能なものである。
【０００３】
しかしながら、コンクリート床面(s)は平滑面ではなく不陸を有する。従って、図１２に示すように、大引き(ロ)を大引き受台座(b4)に固定すると床束(B)の接床基台(b1)とコンクリート床面(s)との間に隙間(c)ができ、ガタツキや床鳴りの原因となり、コンクリート床面(s)の一部分に集中的に荷重がかかり、該床面(s)が部分的に破壊され、更に安定性が悪くなる。これは床束(B)の安定性を良くするために接床基台(b1)の面積が大きくなればなる程顕著になる。
【０００４】
【発明が解決しようとする課題】
本発明は、不陸のある床面でもガタツキが無く、安定に施工できる床束を提供するにある。
【０００５】
【課題を解決するための手段】
かくして本願『請求項１』に係る発明によれば、『接床基台(1)と、該接床基台(1)に回動自在に立設された中空状の支持支柱(2)と、該支持支柱(2)の上部に螺合されたレベル調整用ナット(3)を介して高さ調整自在に構成された大引き受台座(4)とからなる床束であって、接床基台(1)の中央部には、逆凹状部(11)が形成されると共に、逆凹状部(11)の中心部にはボルト挿通孔(13)が穿設されており、支持支柱(2)は、ボルト挿通孔(13)の周縁部を囲繞するワッシャー状の弾性体(6)を介して接床基台(1)に接続されると共に、ボルト挿通孔(13)に挿通した接合ボルト(5)が支持支柱(2)の下端部の内壁面に螺設された雌ネジ部(22)に螺合することによって固定されており、弾性体(6)は、ボルト挿通孔(13)に挿通される部分(61)と、支持支柱(2)とボルト挿通孔(13)の周縁部との間に介設される部分(62)とから構成されていることを特徴とする床束(A)』が提供される。
【０００６】
本発明の床束(A)において、本願『請求項２』に示すように、『接合(5)ボルトに、支持支柱(2)内と接床基台(1)下面とを連通する連通路(5a)が設けられ』るように構成してもよい。
【０００７】
なお、上記連通路としては、管路状の通孔(5a1)であってもよく、また、溝状のもの(5a2)であってもよい。
【０００８】
本発明は、また本願『請求項３』に示すように、『接床基台(1)には、逆凹状部(11)から放射状に延びる接着剤充填用脚部(14)と、該接着剤充填用脚部(14)の先端に設けられる接着剤注入孔(15)とが形成され』るように構成してもよい。
【０００９】
なお、上記構成においても、上記請求項２に示したように、接合ボルトに連通路が設けられても良い。
【００１０】
本願『請求項１』に係る発明によれば、接床基台(1)と支持支柱(2)が弾性体(6)を介して接続されているので、接床基台(1)が当接する床面(s)に不陸があるとその不陸に対応して支持支柱(2)が接正基台(1)に対して傾くので、接床基台(1)が、床面(s)との間に隙間を発生せずに当接することとなる。
【００１１】
本願『請求項２』に係る発明によれば、接合ボルト(5)に設けられた連通路(5a)によって支持支柱(2)内と接床基台(1)下面とは連通されているので、支持支柱(2)の上部から注入された接着剤は上記連通路(5a)を通って接床基台(1)下面に廻ることとなる。
【００１２】
本願『請求項３』に係る発明によれば、請求項１と同様の作用に加えて、接床基台(1)の逆凹状部(11)内および該逆凹状部(11)から放射状に連通する接着剤充填用脚部(14)に接着剤が充填され、接床基台(1)が接着剤によって強固に固定されることとなる。また、接着剤充填用脚部(14)の先端には接着剤注入孔(15)が設けられており、床束(A)を仮固定し最終的に位置調整をした後にここから接着剤を充填して固定することができる。
【００１３】
以下、本発明を図示実施例に基づいて具体的に説明するが、これにより限定されるものではない。
【００１４】
実施例１
本発明の床束の一例を図１に示す。同図は床束(A)の半断面図であり、接床基台(1)と、支持支柱(2)と、レベル調整用ナット(3)と、大引き受台座(4)と、接合ボルト(5)と、弾性体(6)とから主として構成されている。
【００１５】
接床基台(1)は、図１及び図２（接床基台の裏面図）に示すように、中央部に逆凹状部(11)が形成され、該逆凹状部(11)の周辺部に平板状の床面接地用当接部(12)が連続形成された略平板状部材からなり、上記逆凹状部(11)の中心部にはボルト挿通孔(13)が穿設されている。上記逆凹状部(11)は、上記当接部(12)が床面に接地されたとき、接着剤を充填保持できる空間部(イ)を構成する。また、該逆凹状部(11)から放射状に延びる接着剤充填用脚部(14)が上記当接部(12)に連通形成されており、該接着剤充填用脚部(14)の先端には接着剤注入孔(15)が穿設されている。なお、(16)はビス孔である。
【００１６】
支持支柱(2)は、図１及び図３（支持支柱に接床基台を取付けた状態の半断面図）に示すように、本実施例では、中空パイプ状に形成されているもので、その上端部には雄ネジ部(21)が螺設されており、下端部の内壁面には雌ネジ部(22)が螺設されている。そして下端には鍔部(23)が形成されている。
【００１７】
レベル調整用ナット(3)は、図１及び図４（レベル調整用ナットに大引き受台座を固定したものの半断面図）に示すように、筒体で、筒体内には上記支持支柱(2)の雄ネジ部(21)と螺合する雌ネジ部(31)が螺設されている。
【００１８】
大引き受台座(4)は、図１、図４及び図５（大引き受台座の平面図）に示すように、平板が曲成されて水平板部(41)と垂直板部(42)とが構成された断面Ｌ字状のものからなり、このうち水平板部(41)は上記レベル調整用ナット(3)の上端に一体的に固定される。本実施例では、水平板部(41)は上記ナット固定部周辺が凹所(41a)に形成されており、この凹所(41a)から四方に接着剤充填用凹部(41b)が連接されている。そして、水平板部(41)及び垂直板部(42)のいずれにもビス孔(43)が穿設されている。
【００１９】
接合ボルト(5)は、図１に示すように、頭部(51)と、上記支持支柱(2)の下端部の雌ネジ部と螺合する径の本体ネジ部(52)とから構成されるもので、上記頭部(51)は前記接床基台(1)の逆凹状部(11)内に納まる高さに設定されている。
【００２０】
弾性体(6)は、図１及び図６（弾性体の半断面図）に示すように、比較的硬いゴムからなるワッシャーで、上記接床基台(1)の上記逆凹状部(11)のボルト挿通孔(13)に挿通される部分(61)と、支持支柱(2)の下端鍔部(22)と接床基台(1)のボルト挿通孔(13)の周縁部との間に介設される部分(62)とから構成されている。つまり、この弾性体(6)は、ボルト挿通孔(13)の周縁部を囲繞するように構成されている。なお、この弾性体(6)は、垂直方向からの応力に対しては変形せず、支持支柱(2)と接床基台(1)との間に傾きが生じると変形するものである。
【００２１】
次に、上記構成の床束(A)を用いた施工例について、図７を参照して述べる。
▲１▼  まず、大引きを大引き受けに固定する。
▲２▼  次に、床束(A)の断面Ｌ字状の大引き受台座(4)に接着剤を塗布し、大引き(ロ)の所定位置に取付け、更にその垂直板部(42)の部分をビス止めする。なお、本実施例においては、床束(A)は前後左右で900mm程度の間隔を保持して取付けられる。
▲３▼  その後、支持支柱(2)を回転させ接床基台(1)が床面に接地するように高さレベルを調節する。このとき、接床基台(1)と支持支柱(2)が弾性体(6)を介しているので、床面(s)の不陸の傾きに対応して支持支柱(2)が接床基台(1)に対して傾くので、接床基台(1)と床面(s)との間に隙間が発生しない。
▲４▼  接着剤充填用脚部(14)の先端に設けられた接着材注入孔(15)から、接着剤を注入する。接着剤としては、例えば、湿気硬化型発泡ウレタンが使用される。これを用いることで硬化後発泡し、隙間無く充填する事ができる。
【００２２】
なお、接合ボルト(5)の他の例として、頭部(51)及び本体ネジ部(52)を貫通する通孔(5a1)（図８(a)参照）や頭部(51)から本体ネジ部(52)に至って形成される溝(5a2)（図８(b)参照）等の連通路(5a)が形成されたものを挙げることができる。このように通孔(5a1)や溝(5a2)を設けておけば、支持支柱(2)に接合ボルト(5)を螺合させたとき、支持支柱(2)の中空部と接床基台(1)の逆凹状部(11)とを連通することができ、支持支柱(2)の上端部から接着剤を注入することで、接床基台(1)の逆凹状部(11)内及びこれに続く接着剤充填用脚部(14)まで接着剤を充填することができる。
【００２３】
このときさらに、大引きに孔をあけて支持支柱(2)の位置を合わせておけば、一本の大引きに床束(A)を固定した後、高さの微調整を行った上で大引きの孔から接着剤を注入するだけでよく、より一層、施工手間が省けることとなる。
【００２４】
上記接合ボルトのさらに他の例として、図９に示すように、頭部(51)に面取り(51a)を施したものを挙げることができる。このように面取りが施されていると、逆凹状部(11)内で該頭部(51)が傾いても該逆凹状部(11)内に収納された状態となり、ガタツキが生じない。
【００２５】
また、大引き受台座については、本実施例のような断面Ｌ字状のものではなく、表面に粘着シートを設けた平板状の支持板（図示せず）とすることもできる。このようにすれば、二重床の支持脚にも使用できるものとなる。
【００２６】
変形例
図１０に示すように、予め配筋(W)に固定されたＵ字ボルト(V)に接床基台(1)を固定する方法がある。この場合、図１１のように接床基台(1)の対称位置に２カ所の切り込み(17)を入れることによって、多少の位置ズレがあっても各切り込み(17)にＵ字ボルト(V)を嵌合させ、ナット(N)で固定することができる。
なお、切り込み(17)は２カ所以上、例えば、４カ所に入れても良く、切り込み(17)の数は特に限定しない。
【００２７】
【発明の効果】
本願『請求項１』に係る発明によれば、接床基台と支持支柱が弾性体を介して接続されているので、接床基台が当接する床面に不陸があるとその不陸に対応して支持支柱が接床基台に対して傾くので、接床基台が床面との間に隙間を発生せずに当接することができ、安定した施工ができる。
【００２８】
本願『請求項２』に係る発明によれば、請求項１の効果に加えて、支持支柱の上部から接着剤を注入して接床基台(1)の下面に充填する事ができるので、施工を簡略化することができる。
【００２９】
本願『請求項３』に係る発明によれば、請求項１の効果に加えて、接床基台の逆凹状部内及び該逆凹状部から放射状に連通する接着剤充填用脚部のいずれにも接着剤を充填することができるので、接床基台を強固に固定できると共に、床束を仮固定し最終的に位置調整をした後に接着剤充填用脚部の先端の接着剤注入孔から接着剤を充填して固定することができるので、施工性をより一層高めることができる。
【００３０】
【図面の簡単な説明】
【図１】本発明の床束の一例の半断面図
【図２】図１に用いられる接床基台の一例の裏面図
【図３】図１に用いられる接床基台と支持支柱とを固定したものの半断面図
【図４】図１に用いられるレベル調整用ナットと大引き受台座とを固定したものの半断面図
【図５】図１に用いられる大引き受台座の平面図
【図６】図１に用いられる弾性体の一例の半断面図
【図７】図１の床束の使用例の正面概略図
【図８】本発明の床束に用いられる接合ボルトの他の例の斜視図
【図９】本発明の床束に用いられる接合ボルトのさらに他の例の正面概略図
【図１０】本発明の床束の他の例の使用状態を示す半断面図
【図１１】図１０の床束における接床基台の変形例の裏面図
【図１２】従来例の床束の使用例の正面概略図
【符号の説明】
(A)…床束
(1)…接床基台
(2)…支持支柱
(3)…レベル調整用ナット
(4)…大引き受台座
(5)…接合ボルト
(6)…弾性体
(11)…逆凹状部
(14)…接着剤充填用脚部
(15)…接着剤注入孔
(イ)…空間部
(ロ)…大引き
【図１】
0004101376.tif 000002
【図２】
0004101376.tif 000003
【図３】
0004101376.tif 000004
【図４】
0004101376.tif 000005
【図５】
0004101376.tif 000006
【図６】
0004101376.tif 000007
【図７】
0004101376.tif 000008
【図８】
0004101376.tif 000009
【図９】
0004101376.tif 000010
【図１０】
0004101376.tif 000011
【図１１】
0004101376.tif 000012
【図１２】
0004101376.tif 000013